(57)【要約】      （修正有）【課題】  接続ケーブルの引出し口を、設置位置の状況に対応させて簡便に変更できるフットスイッチを提供すること。【解決手段】置かれる床面に対向するフットスイッチの内部の面に設けたストッパ凸体と、前記接続ケーブルを保持するケーブルクランプ部と、このケーブルクランプ部が取り付けられたケーブル固定部を有し、前記ストッパ凸体が嵌り込む複数の固定凹部を周縁に設けたホルダ回転台座が、バネにより前記内部の面に押し付け或いは引っ張られて、回転可能に取り付けられたケーブルホルダと、前記固定凹部の１つに前記ストッパ凸体が嵌り込んだ前記ケーブルホルダの回転位置毎に、フットスイッチの側面に設けた前記接続ケーブルの引出し口とを具備してなり、前記ケーブルホルダを一旦引出して前記ストッパ凸体が嵌り込む固定凹部の位置を変更し、接続ケーブルの引出し口の変更を可能にすることを特徴とするフットスイッチ。【選択図】  図１
2007018817.tif 000002
【特許請求の範囲】
【請求項１】
床置きされ、足踏み式の複数のスイッチを備え、このスイッチの接続線を纏めた接続ケーブルを引出したフットスイッチであって、
置かれる床面に対向するフットスイッチの内部の面に設けたストッパ凸体と、
前記接続ケーブルを保持するケーブルクランプ部と、
このケーブルクランプ部が取り付けられたケーブル固定部を有し、前記ストッパ凸体が嵌り込む複数の固定凹部を周縁に設けたホルダ回転台座が、バネにより前記内部の面に押し付け或いは引っ張られて、回転可能に取り付けられたケーブルホルダと、
前記固定凹部の１つに前記ストッパ凸体が嵌り込んだ前記ケーブルホルダの回転位置毎に、フットスイッチの側面に設けた前記接続ケーブルの引出し口と、
を具備してなり、前記ケーブルホルダを一旦引出して前記ストッパ凸体が嵌り込む固定凹部の位置を変更し、接続ケーブルの引出し口の変更を可能にすることを特徴とするフットスイッチ。
【請求項２】
前記複数の固定凹部の１つに前記ストッパ凸体が嵌り込んだ前記ケーブルホルダの回転位置毎に、この回転位置に対応する前記引出し口へ向かう前記接続ケーブルを格納するガイド溝を設けたことを特徴とする請求項１記載のフットスイッチ。
【請求項３】
前記ガイド溝は、弾性変形するものであることを特徴とする請求項２記載のフットスイッチ。
【請求項４】
ホルダ回転台座の周縁に設けた前記固定凹部は、回転中心を間に前記ケーブル固定部に対向する１個所を含む３箇所であり、その対応する前記引出し口は筐体の３側面それぞれに１つ設けたことを特徴とする請求項１または２記載のフットスイッチ。
【発明の詳細な説明】
【技術分野】
【０００１】
本発明は、医用機器操作に使用される足踏みスイッチに関し、特に患者を載せる寝台に近づいて配置されるフットスイッチに関する。
【背景技術】
【０００２】
医用機器の操作において、足で踏んで、正面方向のＸ線透視ＯＮスイッチ、側面方向のＸ線透視ＯＮスイッチ、Ｘ線撮影（画像収集）ＯＮスイッチの各スイッチ操作をする床置きのフットスイッチがよく使用される。例えば、患者を横たえてＸ線撮影をする場合、機器の操作者である医師や技師が、患者の体位を間近で整えたり、患者に処置を施したりしながら、フットスイッチを操作してＸ線撮影を行う。
【０００３】
このように使用されるフットスイッチは、機器本体或いは制御部から引き出された接続ケーブルの他端に接続されて、フットスイッチのボックスの固定部(ケーブル出口)は、国際規格にて規定される確実な固定が要求されるため（非特許文献１）、ケーブル出口の方向（位置、向き）は、操作者が向かう操作側以外の３面の何れかに固定している。
【０００４】
フットスイッチの使用状況、例えば、図５の医療現場の模式図で示すように、撮影寝台５１の患者５２の足もと付近にメイン操作卓を担当する技師５３ａが位置して、この技師５３ａが使用するフットスイッチ５４ａが置かれる。一般的には２系統分のスイッチケーブル５５ａ、５５ｂが、撮影寝台の天板を載せる架台（支柱）部５６から出力配線されて、備えられる。このフットスイッチ５４ａにはその１系統が接続されて、図示するようにその設置位置の状況から、フットスイッチ５４ａでの接続部分は操作側から裏側面となる場所に接続されるのが一般的である。残りの１系統のスイッチケーブル５５ｂには、フットスイッチ５４ｂが接続されて、患者への処置する医師５３ｂがこれを操作する。
【０００５】
患者に対応する医師が立つ位置は、患者の状況や患部により、例えば同図にＡ〜Ｃで示す位置などになり、フットスイッチ５４ｂ、５４ｂ’、５４ｂ’’はその時々に位置を移し変えて置かれる。したがって、このように立った医師５３ｂ、５３ｂ’、５３ｂ’’或いは操作者の足元も患者の寝る寝台近くに位置し、当然、足で操作されるフットスイッチ５４ｂ、５４ｂ’、５４ｂ’’もさらに寝台近くに位置することになり、寝台の架台５６に密着させて置かれることが多くなる。フットスイッチ５４ｂ、５４ｂ’、５４ｂ’’のケーブル引出しは、撮影寝台の足もとにおけるケーブル捌きの点から例えば、Ａでは左側面から、Ｂでは右側面から、Ｃでは裏側面からと、ケーブル出口の方向が少なくとも３種類が要求されることになる。また、ケーブル捌きを考慮する必要が一切無い方式として無線式も考えられるが、ＯＮ信号の誤認識によるＸ線曝射などの誤動作が考えられるため、有線式によるものが信頼性が高く、かつ安定性も高いとされる。
【非特許文献１】国際規格：ＩＥＣ６０６０１−１（１９８８年）、５７．４（ａ）試験
【発明の開示】
【発明が解決しようとする課題】
【０００６】
上に述べたように、足踏みにより操作するスイッチを収めて床置きされるフットスイッチは、操作者の直ぐ脇に置いて使用するので、操作引出し口の位置が、不適切な方向になることが多く、ケーブル捌きの煩雑さが、スイッチの操作性を低下させる問題があった。
【０００７】
本発明は上記の問題点に鑑みてなされたもので、接続ケーブルの引出し口を、例えばフットスイッチのボックスの背面、左、右の側面の何れかの１側へなどのように、設置位置の状況に対応させて簡便に変更することができるフットスイッチを提供することを目的とする。
【課題を解決するための手段】
【０００８】
上記の目的を達成するために、本発明のフットスイッチは、床置きされ、足踏み式の複数のスイッチを備え、このスイッチの接続線を纏めた接続ケーブルを引出したフットスイッチであって、置かれる床面に対向するフットスイッチの内部の面に設けたストッパ凸体と、前記接続ケーブルを保持するケーブルクランプ部と、このケーブルクランプ部が取り付けられたケーブル固定部を有し、前記ストッパ凸体が嵌り込む複数の固定凹部を周縁に設けたホルダ回転台座が、バネにより前記内部の面に押し付け或いは引っ張られて、回転可能に取り付けられたケーブルホルダと、前記固定凹部の１つに前記ストッパ凸体が嵌り込んだ前記ケーブルホルダの回転位置毎に、フットスイッチの側面に設けた前記接続ケーブルの引出し口とを具備してなり、前記ケーブルホルダを一旦引出して前記ストッパ凸体が嵌り込む固定凹部の位置を変更し、接続ケーブルの引出し口の変更を可能にすることを特徴とするものである。
【０００９】
さらに、上記本発明のフットスイッチにおいては、前記複数の固定凹部の１つに前記ストッパ凸体が嵌り込んだ前記ケーブルホルダの回転位置毎に、この回転位置に対応する前記引出し口へ向かう前記接続ケーブルを格納するガイド溝を設けたことを特徴とするものである。
【００１０】
さらに、上記本発明のフットスイッチにおいては、前記ガイド溝が、弾性変形することを特徴とするものである。
【００１１】
さらに、上記本発明のフットスイッチにおいては、ホルダ回転台座の周縁に設けた前記固定凹部が、回転中心を間に前記ケーブル固定部に対向する１個所を含む３箇所であり、その対応する前記引出し口は筐体の３側面それぞれに１つ設けたことを特徴とするものである。
【発明の効果】
【００１２】
本発明によるフットスイッチは、接続ケーブルの引出し口を、設置位置の状況に対応させて簡便に変更することが可能となる。
【発明を実施するための最良の形態】
【００１３】
以下、本発明の実施形態を図１〜４により詳細に説明する。
【００１４】
図１は、本発明の実施形態のフットスイッチに設ける回転するケーブルホルダの構成と組立を示す模式図である。図２は、このケーブルホルダに接続ケーブルを固定するケーブルクランプ部の構成と組立を示す模式図である。
【００１５】
本実施形態のフットスイッチ１は、図４（ａ）に示すように、保護バー４を含む筐体５の形状、並びにこれに備える複数のスイッチ３ａ〜３ｃの配置などは、従来のフットスイッチと同様の外観を呈する。同図（ｂ）のフットスイッチ１の底側から見た模式図に示すように、本実施形態のフットスイッチ１では、固定ネジ１８により筐体５の内部の上面方向に取り付けられた回転するケーブルホルダ１０と、筐体５の側面方向に固定した２本のカイド溝４１ａ、４１ｂ及び裏面方向に固定したガイド溝４１ｃとを備える。
【００１６】
さらに、フットスイッチ１に設けた複数のスイッチ３ａ〜３ｃの接続線が纏められたケーブル２は、詳細を後述するケーブルホルダ１０によりケーブル引出し位置が設定されて、ガイド溝４１ａ〜４１ｃの１つに収められて、例えば図４（ａ）に例示すように引出し口４５ａを設けて右側面から引き出す。
【００１７】
ケーブル２の引出し方向を設定するケーブルホルダ１０の構成の詳細を、図１〜３を用いて説明する。
【００１８】
図１に示すように、ケーブルホルダ１０は、ケーブル固定部１３、及び例えば回転角９０度の間隔で周辺部に配された３個の固定凹部１６ａ〜１６ｃを有するホルダ回転台座１１、ホルダカバー１２、スペーサ１５ａ〜１５ｄ（スペーサ１５ｄは図示せず）、ホルダカバー１２を押すバネ１７を貫通してケーブルホルダ１０を回転可能に、筐体５の内部の上面に取り付ける固定ネジ１８により構成される。さらに、フットスイッチ１が備える複数の各スイッチ３ａ〜３ｃの接続線を纏めたケーブル２の端部に、図２に構成とその組立を模式的に図示した、国際規格に準拠する確実なケーブルの固定を行うケーブルクランプ部２０が設けられて、これをケーブル固定部１３にクランプ固定ナット２４の締め付けにより取り付ける。
【００１９】
ケーブルクランプ部２０は、図２に図示しているケーブル固定のキャップナット２３、テーパーゴムリング２２、クランプ本体２１、クランプ固定ナット２４の順に、ケーブル２のスイッチ接続端側を貫通させ、スイッチ接続に十分な端末長さを確保する。  次に、この端末を確保してケーブル２を、クランプ本体２１にテーパーゴムリング２２を圧縮しつつケーブル固定のキャップナット２３を締め付けて、テーパーゴムリング２２の圧縮変形によりクランプ本体２１に固定する。なお、キャップナット２３の締め付けには、トルクレンチ等により所定のねじ込みをして、国際規格の固定強度を確保する。
【００２０】
さらに、ケーブル２に固定し、このように組立てたクランプ本体２１の他のネジ部分を、図３（ａ）に示すように、ホルダ回転台座１１のケーブル固定部１３の切り込みに差し入れ、各スイッチへ接続する端部がホルダ回転台座上に位置するようにして、クランプ固定ナット２４を締め込む。このクランプ本体２１の両端の締め込みにより、ケーブル２はホルダ回転台座１１に強固に取り付けられる。
【００２１】
ケーブル２が取り付けられたホルダ回転台座１１は、組立て構成を模式的に図示した図１に示すように、ケーブル２及び接続線の保護空間を確保するスペーサ１５ａ〜１５ｄ（スペーサ１５ｄは陰となり図示せず）を挟み、ホルダカバー１２を置いて適宜ネジ止めをしてケーブルホルダ１０を組立てる。
【００２２】
次に、ホルダカバー１２を押すようにバネ１７を差し入れて、このケーブルホルダ１０を回転可能にその中心を固定ネジ１８により、フットスイッチ１の筐体５の上面部分１９に取り付ける。
【００２３】
また、上面部分１９には、図４（ｂ）に示すように裏面方向に固定したガイド溝４１ｃと対向する内側で、前記固定ネジ１８の軸芯から前記ホルダ回転台座１１の半径より短い距離の位置に、ホルダ回転台座１１の厚さより高いストッパ凸体１４を固着して設ける。
【００２４】
ケーブルホルダ１０は、その３個の固定凹部１６ａ〜１６ｃのいずれか１つにストッパ凸体１４が嵌り込むように回転した位置で、バネ１７の押し応力によって押し付けられ、ストッパ凸体１４に回転を規制されて留まる。なお、バネ１７のバネ係数は、工具等を使用しないで一般的な成人の腕力で、前記押し応力に抗して引出すことができるように、設計において決定される。
【００２５】
ストッパ凸体１４が嵌り込んでケーブルホルダ１０が留まっている位置で、制御装置のある架台の方へ延ばされるケーブル２は、ケーブル固定部１３の正面に対向するカイド溝４１ａ、４１ｂ、４１ｃの１つに収めて、筐体５の側面或いは裏面の引き出し口４５ａ〜４５ｃまで誘導し、筐体５の外部へ引出す。なお、カイド溝４１ａ、４１ｂ、４１ｃのそれぞれ内側面には、拡大斜視図の図４（ｃ）或いは断面模式図の同図（ｄ）に示すように、押し込んだケーブル２を保持する帯状凸体４２ａ〜４２ｄを敷設してあり、カイド溝４１ａ、４１ｂ、４１ｃは弾性変形をする材質により形成すれば好適となる。
【００２６】
次に、医療行為を行う医師や検査技師の位置に対応して、フットスイッチ１のケーブル２の引出し位置を変更する場合の本実施形態の作用、動作を説明する。例として、当初、底側から見た図４（ｂ）に示すようにフットスイッチ１の裏面の引き出し口４５ｃからケーブル２を引出していた状態から、同図（ａ）に示すように右側面（底から見た同図（ｂ）では、図の左側）の引出し口４５ａから引出すように変更する場合を、説明する。
【００２７】
フットスイッチ１の裏面のカイド溝４１ｃからケーブル２を取り出し、当初のケーブルホルダ１０の向きは、図３（ａ）に図示しているように、ケーブル固定部１３の反対側にある固定凹部１６ａにストッパ凸体１４が嵌り込んでいる。これを右側面から引出すには、まず、ホルダカバー１２をバネ１７の押し応力に抗して筐体５の上面部分１９から引離して、ケーブルホルダ１０全体をストッパ凸体１４より手前に引出す。
【００２８】
次に、底側から見た同図（ｂ）に矢印３１に示すように、ケーブルホルダ１０全体を左に９０度回転し、ストッパ凸体１４が固定凹部１６ｃに嵌り込む位置にして、バネ１７の押し応力により、再び筐体５の上面部分１９に密着させる。密着したケーブルホルダ１０全体は、ストッパ凸体１４に回転を規制されて、架台の方へ延ばされるケーブル２は、フットスイッチ１の右側面の方向に配置される。筐体５内に在るケーブル２の部分は、ガイド溝４１ａに収めて、誘導、保持する。
【００２９】
なお、３面方向への引出し（引出し口４５ａ〜４５ｃ）を例示したので、ホルダ回転台座１１に設ける固定凹部１６を回転角９０度毎に３個としたが、引出し方向、位置に対応した複数の固定凹部１６を設けて行っても良いことは、言うまでもない。
【００３０】
また、上述では、ケーブルホルダ１０をホルダカバー１２の側に、これを押すバネ１７を挿入して、固定凹部１６ａにストッパ凸体１４が嵌り込む場合を例示したが、筐体５の上面部分１９の方にホルダ回転台座１１を引っ張る（引き上げる）バネを、ケーブルホルダ１０と上面部分１９の間に挿入して、収縮したバネ長及びホルダ回転台座１１の厚さより高いストッパ凸体１４を設ける場合も同様の作用が得られることも明らかである
本実施形態によれば、フットスイッチの筐体からの接続ケーブルの引出し位置を、工具を用いることなく、このケーブルを堅固にクランプするケーブル固定部を備えるホルダ回転台座を引出して、容易に回転して引出し口を設定変更できるので、ケーブルの床上の最適な捌きに対応できるように設定できる。また、筐体内の各引出し方向に設け、帯状凸体を内面に施したカイド溝により、筐体内の接続ケーブルが安定に保持できる。
【００３１】
上述の実施形態では、大型医療機器に使用されるフットスイッチを例に説明したが、設置の位置が変化する移動型の機器の電源ケーブルの引出しや、手持ち機器における右・左の利き手に対応したケーブルの引出し位置変更にも利用できる。
【図面の簡単な説明】
【００３２】
【図１】本発明の実施形態のケーブルホルダの構成と組立を示す模式図。
【図２】本実施形態のホルダケーブル固定部の構成と組立を示す模式図。
【図３】本実施形態のホルダ回転台座の回転とストッパ凸体を示す図。
【図４】本実施形態のフットスイッチの外観図と、ケーブルホルダとカイド溝の位置関係を示す図。
【図５】医療現場におけるフットスイッチの使用状況を示す模式図。
【符号の説明】
【００３３】
１・・・フットスイッチ、
２・・・ケーブル、
３ａ〜３ｃ・・・スイッチ、
４・・・保護バー、
５・・・筐体、
１０・・・ケーブルホルダ、
１１・・・ホルダ回転台座、
１２・・・ホルダカバー、
１３・・・ケーブル固定部、
１４・・・ストッパ凸体、
１５ａ〜１５ｃ・・・スペーサ、
１６ａ〜１６ｃ・・・固定凹部、
１７・・・バネ、
１８・・・固定ネジ、
１９・・・上面部分、
２０・・・ケーブルクランプ部、
２１・・・クランプ本体、
２２・・・テーパーゴムリング、
２３・・・キャップナット、
２４・・・クランプ固定ナット、
３１・・・矢印、
４１、４１ａ〜４１ｃ・・・カイド溝、
４２ａ〜４２ｄ・・・帯状凸体、
４５ａ〜４５ｃ・・・引出し口。
【図１】
2007018817.tif 000003
【図２】
2007018817.tif 000004
【図３】
2007018817.tif 000005
【図４】
2007018817.tif 000006
【図５】
2007018817.tif 000007